(57)【要約】【課題】回転する可動体に接続する配線部材をコンパクトに収納することができる技術を提供する。【解決手段】サブ液晶ユニットを回転軸７３０ｚ（Ｚ軸）を中心として回転させるため、回転軸７３０ｚの回りにフレキシブルフラットケーブル６００の第１巻付部６０１ｂを巻きつける。また、サブ液晶ユニットを回転軸７３０ｘ（Ｘ軸）を中心として回転させるため、回転軸７３０ｘの回りにフレキシブルフラットケーブル６００の第２巻付部６０２ｂを巻きつける。フレキシブルフラットケーブル６００は連続した１本の配線部材であり、第１巻付部６０１ｂ及び第２巻付部６０２ｂは、サブ液晶ユニットの回転に伴って緩ませた状態と締められた状態との間を遷移する。このように、サブ液晶ユニットが複数の回転軸の回りを回転する場合であっても、余分な中継基板を設置する必要が無くなり、省スペースでフレキシブルフラットケーブル６００を配置することができる。【選択図】図１１
2016202210.tif 000002
【特許請求の範囲】
【請求項１】
所定の回転軸を中心として回転可能な可動体と、
前記可動体に接続される部材であって、前記可動体が初期位置にある状態と前記初期位置とは異なる可動限界位置にある状態とでは、一定の緩ませた状態又は前記一定の緩ませた状態よりも締められた状態である一定の締められた状態のうち、それぞれ異なる状態で前記所定の回転軸の回りに巻きつけられる配線部材とを備え、
前記可動体は、
前記所定の回転軸を囲む位置に前記可動体の回転に伴って回転する回転部材を備え、
前記配線部材は、
前記回転部材に固定されており、前記回転部材の回転に伴って前記一定の緩ませた状態と前記一定の締められた状態との間を遷移することを特徴とする遊技機。
【請求項２】
請求項１に記載の遊技機において、
前記可動体は、
前記所定の回転軸としての第１回転軸及び前記第１回転軸と直交する第２回転軸の２つの回転軸を中心として回転可能であり、
前記配線部材は、
前記可動体が前記第１回転軸に基づく第１初期位置にある状態と前記第１初期位置とは異なる前記第１回転軸に基づく第１可動限界位置にある状態とでは、前記一定の緩ませた状態又は前記一定の締められた状態のうち、それぞれ異なる状態で前記第１回転軸の回りに巻きつけられる一方、前記可動体が前記第２回転軸に基づく第２初期位置にある状態と前記第２初期位置とは異なる前記第２回転軸に基づく第２可動限界位置にある状態とでは、規定の緩ませた状態又は前記規定の緩ませた状態よりも締められた状態である規定の締められた状態のうち、それぞれ異なる状態で前記第２回転軸の回りに巻きつけられることを特徴とする遊技機。
【請求項３】
請求項２に記載の遊技機において、
前記配線部材は、
少なくとも前記第１回転軸の回りに巻きつけられた第１巻付部、前記第２回転軸の回りに巻きつけられた第２巻付部、及び、前記第１巻付部と前記第２巻付部とを連結する非巻付部を有する１本の部材であることを特徴とする遊技機。
【請求項４】
請求項３に記載の遊技機において、
前記非巻付部は、
前記第１巻付部による巻きつけ動作、又は、前記第２巻付部による巻きつけ動作が行われても配置されている位置を維持することを特徴とする遊技機。
【請求項５】
請求項１から４のいずれかに記載の遊技機において、
前記可動体は、
少なくとも所定の抽選の結果を表示するメイン表示器とは別のサブ表示器を含むことを特徴とする遊技機。
【発明の詳細な説明】
【技術分野】
【０００１】
本発明は、遊技中に抽選契機が発生すると、図柄の変動表示を行った後に抽選の結果に応じた態様で図柄を停止表示させる遊技機に関する。
【背景技術】
【０００２】
従来、この種の遊技機として、回転自在なサブ液晶表示器の方向転換のためにフレキシブルケーブルを折り曲げて保持する技術が開示されている（例えば、特許文献１）。
【０００３】
また、別の先行技術として、液晶表示装置を回転可能に配置し、液晶表示装置を表示制御するための図柄信号などを液晶表示装置の停止時、回転時にかかわらず送信可能な電気経路を介して出力する技術が知られている（例えば、特許文献２）。
【先行技術文献】
【特許文献】
【０００４】
【特許文献１】特開２０１３−２１５４２８号公報
【特許文献２】特開２００５−３２９０８５号公報
【発明の概要】
【発明が解決しようとする課題】
【０００５】
上記の先行技術は、可動体に接続する配線部材に工夫を凝らしている技術である。
ここで、可動体を回転させる場合、可動体の回転量を考慮して配線部材を長くする必要がある。
【０００６】
しかし、配線部材を長くすると、それを収納するスペースが必要になり、収納スペースを別途設置するにはコストがかかる。この点、上述した先行技術では、配線部材をたるませて収納しているが、配線部材をたるませるにはそれなりのスペースが必要となり、また、配線部材を単純にたるませていると断線の危険性がある。
【０００７】
そこで本発明は、回転する可動体に接続する配線部材をコンパクトに収納することができる技術の提供を課題とするものである。
【課題を解決するための手段】
【０００８】
本発明は、上記の課題を解決するため以下の解決手段を採用する。なお、以下の括弧書中の文言はあくまで例示であり、本発明はこれに限定されるものではない。
解決手段１：本解決手段の遊技機は、所定の回転軸を中心として回転可能な可動体と、前記可動体に接続される部材であって、前記可動体が初期位置にある状態と前記初期位置とは異なる可動限界位置にある状態とでは、一定の緩ませた状態又は前記一定の緩ませた状態よりも締められた状態である一定の締められた状態のうち、それぞれ異なる状態で前記所定の回転軸の回りに巻きつけられる配線部材とを備え、前記可動体は、前記所定の回転軸を囲む位置に前記可動体の回転に伴って回転する回転部材を備え、前記配線部材は、前記回転部材に固定されており、前記回転部材の回転に伴って前記一定の緩ませた状態と前記一定の締められた状態との間を遷移することを特徴とする遊技機である。
【０００９】
本解決手段の遊技機は、以下の構成を備える。
（１）所定の回転軸を中心として回転可能な可動体（サブ液晶表示器）が備えられている。可動体は、所定の制御装置により制御される。制御装置は、主制御装置であっても演出制御装置であってもよく、別の制御装置であってもよい。
【００１０】
（２）上記（１）の可動体に接続される配線部材が設けられている。配線部材は、上記（１）の可動体が初期位置にある状態と初期位置とは異なる可動限界位置にある状態とでは、一定の緩ませた状態（膨らませた状態）又は一定の緩ませた状態よりも締められた状態である一定の締められた状態（しぼませた状態）のうち、それぞれ異なる状態で所定の回転軸（水平方向のＸ軸又は前後方向のＺ軸）の回りに巻きつけられる。
【００１１】
例えば、配線部材は、可動体が初期位置にある状態で一定の緩ませた状態である場合には、可動体が可動限界位置にある状態では一定の締められた状態に移行する。また、配線部材は、可動体が初期位置にある状態で一定の締められた状態である場合には、可動体が可動限界位置にある状態では一定の緩ませた状態に移行する。
【００１２】
（３）上記（１）の可動体は、所定の回転軸を囲む位置に可動体の回転に伴って回転する回転部材を備える。
（４）上記（２）の配線部材は、上記（３）の回転部材に固定されており、回転部材の回転に伴って一定の緩ませた状態と一定の締められた状態との間を遷移する。
【００１３】
このように、本解決手段では、配線部材を所定の回転軸の回りに巻きつけ、その巻きつけを緩ませたり締めたりすることにより、配線部材の長さを吸収している。このため、回転する可動体に接続される配線部材をコンパクトに収納することができるだけでなく、例えば可動体自体をより大きくするなど空いたスペースの有効活用が可能となり、コンパクトな収納形態により製造コストも抑えることができる。
【００１４】
また、配線部材は、所定の回転軸の回りに巻きつけているため、配線部材を単純にたるませて収納している状況と比較して、折り目がつき難く、断線のリスクを低減させることができる。
【００１５】
さらに、本解決手段によれば、可動体が回転することで回転部材が回転し、回転部材が回転することで配線部材が自動的に一定の緩ませた状態から締められた状態に移行したり、締められた状態から一定の緩ませた状態に移行する。このため、配線部材を一定の緩ませた状態と締められた状態との間で遷移させる特別な機構は不要となり、可動体の回転に伴って配線部材を効率よく一定の緩ませた状態と締められた状態との間を遷移させることができる。
【００１６】
解決手段２：本解決手段の遊技機は、解決手段１において、前記可動体は、前記所定の回転軸としての第１回転軸及び前記第１回転軸と直交する第２回転軸の２つの回転軸を中心として回転可能であり、前記配線部材は、前記可動体が前記第１回転軸に基づく第１初期位置にある状態と前記第１初期位置とは異なる前記第１回転軸に基づく第１可動限界位置にある状態とでは、前記一定の緩ませた状態又は前記一定の締められた状態のうち、それぞれ異なる状態で前記第１回転軸の回りに巻きつけられる一方、前記可動体が前記第２回転軸に基づく第２初期位置にある状態と前記第２初期位置とは異なる前記第２回転軸に基づく第２可動限界位置にある状態とでは、規定の緩ませた状態又は前記規定の緩ませた状態よりも締められた状態である規定の締められた状態のうち、それぞれ異なる状態で前記第２回転軸の回りに巻きつけられることを特徴とする遊技機である。
【００１７】
本解決手段の遊技機には、以下の特徴が追加される。
（１）可動体は、所定の回転軸としての第１回転軸（左右方向のＸ軸）及び第１回転軸と直交する第２回転軸（前後方向のＺ軸）の２つの回転軸を中心として回転可能である。
【００１８】
（２）配線部材は、可動体が第１回転軸に基づく第１初期位置にある状態と第１初期位置とは異なる第１回転軸に基づく第１可動限界位置にある状態とでは、一定の緩ませた状態又は一定の締められた状態のうち、それぞれ異なる状態で第１回転軸の回りに巻きつけられる。
【００１９】
例えば、配線部材は、可動体が第１初期位置にある状態で一定の緩ませた状態である場合には、可動体が第１可動限界位置にある状態では一定の締められた状態に移行する。また、配線部材は、可動体が第１初期位置にある状態で一定の締められた状態である場合には、可動体が第１可動限界位置にある状態では一定の緩ませた状態に移行する。
【００２０】
（３）一方、配線部材は、可動体が第２回転軸に基づく第２初期位置にある状態と第２初期位置とは異なる第２回転軸に基づく第２可動限界位置にある状態とでは、規定の緩ませた状態又は規定の緩ませた状態よりも締められた状態である規定の締められた状態のうち、それぞれ異なる状態で第２回転軸の回りに巻きつけられる。
【００２１】
例えば、配線部材は、可動体が第２初期位置にある状態で規定の緩ませた状態である場合には、可動体が第２可動限界位置にある状態では規定の締められた状態に移行する。また、配線部材は、可動体が第２初期位置にある状態で規定の締められた状態である場合には、可動体が第２可動限界位置にある状態では規定の緩ませた状態に移行する。なお、一定と規定については、配線部材の巻き数が異なることを意味しており、配線部材の巻き数が同じであれば、両者とも所定の緩ませた状態又は所定の締められた状態を適用することができる。
【００２２】
本解決手段では、配線部材を第１回転軸及び第２回転軸の回りに巻きつけ、その巻きつけを緩ませたり締めたりすることにより、配線部材の長さを吸収している。このため、可動体が複数の回転軸の回りを回転する場合であっても、回転する可動体に接続する配線部材をコンパクトに収納することができる。
【００２３】
解決手段３：本解決手段の遊技機は、解決手段２において、前記配線部材は、少なくとも前記第１回転軸の回りに巻きつけられた第１巻付部、前記第２回転軸の回りに巻きつけられた第２巻付部、及び、前記第１巻付部と前記第２巻付部とを連結する非巻付部を有する１本の部材であることを特徴とする遊技機である。
【００２４】
本解決手段によれば、配線部材は、第１巻付部、第２巻付部、及び、非巻付部を有する１本の部材（ハーネス、フレキシブルフラットケーブル）であるため、複数の回転方向を中継する際に余分な中継基板を配置する必要がなくなり、省スペースで配線部材を配置することができる。
また、本解決手段では、配線部材は、１本の部材により構成されているため、配線部材の接続不良のリスクを低減させることができる。
【００２５】
解決手段４：本解決手段の遊技機は、解決手段３において、前記非巻付部は、前記第１巻付部による巻きつけ動作、又は、前記第２巻付部による巻きつけ動作が行われても配置されている位置を維持することを特徴とする遊技機である。
【００２６】
本解決手段によれば、非巻付部は、第１巻付部による巻きつけ動作、又は、第２巻付部による巻きつけ動作が行われても配置されている位置を維持する（例えば、配置位置が変わらないように周辺の部材に固定されている）ため、第１巻付部及び第２巻付部のそれぞれの独立性を担保することができる。これにより、第１巻付部による巻きつけ動作が行われても、第２巻付部に影響を与えることがなく、第２巻付部による巻きつけ動作が行われても、第１巻付部に影響を与えることがなくなる。
【００２７】
解決手段５：本解決手段の遊技機は、解決手段１から４のいずれかに記載の遊技機において、前記可動体は、少なくとも所定の抽選の結果を表示するメイン表示器とは別のサブ表示器を含むことを特徴とする遊技機である。
【００２８】
本解決手段によれば、可動体は、少なくとも所定の抽選の結果を表示するメイン表示器とは別のサブ表示器を含んでいるため、配線部材の設置スペースをコンパクトにしながらも、サブ表示器を効率よく回転させることができる。
【発明の効果】
【００２９】
本発明によれば、回転する可動体に接続する配線部材をコンパクトに収納することができる。
【図面の簡単な説明】
【００３０】
【図１】パチンコ機の正面図である。
【図２】パチンコ機の背面図である。
【図３】遊技盤ユニットを単独で示す正面図である。
【図４】サブ液晶可動役物ユニット７００が出現した状態における遊技盤ユニットの正面図である。
【図５】遊技盤ユニットの一部を拡大して示す正面図である。
【図６】サブ液晶可動役物ユニット７００を示す斜視図である。
【図７】サブ液晶可動役物ユニット７００を示す分解斜視図である。
【図８】サブ液晶ユニット７３０を示す分解斜視図である。
【図９】サブ液晶可動役物ユニット７００を斜め後方から見た斜視図である。
【図１０】サブ液晶可動役物ユニット７００を斜め後方から見た斜視図である。
【図１１】フレキシブルフラットケーブル６００及びその周辺の部材を斜め前方から見た斜視図である。
【図１２】フレキシブルフラットケーブル６００及びその周辺の部材を斜め後方から見た斜視図である。
【図１３】サブ液晶可動ユニット７６０の詳細を示す図である。
【図１４】サブ液晶可動ユニット７６０の詳細を示す図である。
【図１５】サブ液晶可動制限ユニット７７０の詳細を示す図である。
【図１６】サブ液晶可動制限ユニット７７０の詳細を示す図である。
【図１７】サブ液晶ユニット７３０が回転軸７３０ｘを中心として回転する動作例を説明する図である。
【図１８】サブ液晶ユニット７３０が回転軸７３０ｚを中心として回転する動作例を説明する図である。
【図１９】フレキシブルフラットケーブル６００の第１巻付部６０１ｂが一定の緩ませた状態から締められた状態に移行する様子を概念的に示す図である。
【発明を実施するための形態】
【００３１】
以下、本発明の実施形態について、図面を参照しながら説明する。
図１は、パチンコ遊技機（以下、「パチンコ機」と略称する。）１の正面図である。また、図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照しつつパチンコ機１の全体構成について説明する。
【００３２】
〔全体構成〕
パチンコ機１は、その本体として主に外枠ユニット２、一体扉ユニット４及び内枠アセンブリ７（プラ枠、遊技機枠）を備えている。遊技者に相対する正面からみて、その最も前面側には一体扉ユニット４が位置している。一体扉ユニット４の背面側（奥側）には内枠アセンブリ７が位置しており、内枠アセンブリ７の外側を囲むようにして外枠ユニット２が配置されている。
【００３３】
外枠ユニット２は、木材及び金属材を縦長の矩形状に組み合わせた構造体であり、この外枠ユニット２は、遊技場内の島設備（図示されていない）に対してねじ等の締結具を用いて固定されるものである。なお、縦長矩形状の外枠ユニット２において、上下の短辺に相当する部位には木材が用いられており、左右の長辺に相当する部位には金属材が用いられている。
【００３４】
一体扉ユニット４は、その下部位置に受皿ユニット６が一体化された構造である。一体扉ユニット４及び内枠アセンブリ７は、外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００３５】
図１中の正面からみて内枠アセンブリ７の右側縁部（図２では左側縁部）には、その内側に統一錠ユニット９が設けられている。また、これに対応して一体扉ユニット４及び外枠ユニット２の右側縁部（裏側）にも、それぞれ図示しない施錠具が設けられている。図１に示されるように、外枠ユニット２に対して一体扉ユニット４及び内枠アセンブリ７が閉じた状態で、その裏側にある統一錠ユニット９は施錠具とともに一体扉ユニット４及び内枠アセンブリ７の開放を不能にしている。
【００３６】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動して内枠アセンブリ７とともに一体扉ユニット４の開放が可能な状態となる。これら全体を外枠ユニット２から前面側へ開放する（扉のように動かす）と、前面側にてパチンコ機１の裏側が露出することになる。
【００３７】
一方、シリンダ錠６ａを反時計回りに捻ると、内枠アセンブリ７は施錠されたままで一体扉ユニット４の施錠だけが解除され、一体扉ユニット４が開放可能となる。一体扉ユニット４を前面側へ開放すると遊技盤ユニット８が直に露出し、この状態で遊技場の管理者が盤面内での球詰まり等の障害を取り除くことができる。また、一体扉ユニット４を開放すると、受け皿ユニット６も一緒に前面側へ開放される。
【００３８】
また、パチンコ機１は、遊技用ユニットとして上記の遊技盤ユニット８を備えている。遊技盤ユニット８は、一体扉ユニット４の背後（内側）で上記の内枠アセンブリ７に支持されている。遊技盤ユニット８は、例えば一体扉ユニット４を前面側へ開放した状態で内枠アセンブリ７に対して着脱可能である。一体扉ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、一体扉ユニット４の裏側に図示しない取り付け具を介して取り付けられる。遊技盤ユニット８の前面には遊技領域８ａ（盤面、遊技盤）が形成されており、この遊技領域８ａは窓４ａを通じて前面側から遊技者に視認可能である。一体扉ユニット４が閉じられると、ガラスユニットの内面と盤面との間に遊技球が流下できる空間が形成される。
【００３９】
受け皿ユニット６は、全体的に一体扉ユニット４から前面側へ突出した形状をなしており、その上面に上皿６ｂが形成されている。この上皿６ｂには、遊技者に貸し出された遊技球（貸球）や入賞により獲得した遊技球（賞球）を貯留することができる。また、受け皿ユニット６には、上皿６ｂの下段位置に下皿６ｃが形成されている。この下皿６ｃには、上皿６ｂが満杯の状態でさらに払い出された遊技球が貯留される。なお、本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００４０】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお、遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００４１】
また、受け皿ユニット６の上面には、上段位置にある上皿６ｂの手前に上皿球抜きボタン６ｄが設置されており、そして下皿６ｃの手前でその中央部には下皿球抜きレバー６ｅが設置されている。遊技者は上皿球抜きボタン６ｄを例えば押し込み操作することで、上皿６ｂに貯留された遊技球を下皿６ｃへ流下させることができる。また、遊技者は、下皿球抜きレバー６ｅを例えば左方向へスライドさせることで、下皿６ｃに貯留された遊技球を下方へ落下させて排出することができる。排出された遊技球は、例えば図示しない球受け箱等に受け止められる。
【００４２】
受け皿ユニット６の右下部には、ハンドルユニット１６が設置されている。遊技者はこのハンドルユニット１６を操作することで発射制御基板セット１７４を作動させ、遊技領域８ａに向けて遊技球を発射する（打ち込む）ことができる（球発射装置）。発射された遊技球は、遊技盤ユニット８の下縁部から左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内（盤面、遊技盤）の構成については、別の図面を参照しながらさらに後述する。
【００４３】
〔枠前面の構成〕
一体扉ユニット４には、演出用の構成要素として左トップレンズユニット４７及び右上電飾ユニット４９が設置されている。このうち左トップレンズユニット４７にはガラス枠トップランプ４６及び左側のガラス枠装飾ランプ４８が組み込まれており、右上電飾ユニット４９には右側のガラス枠装飾ランプ５０が組み込まれている。その他にも一体扉ユニット４には、左トップレンズユニット４７及び右上電飾ユニット４９の下方にそれぞれ連なるようにして左右のガラス枠装飾ランプ５２が設置されており、これらガラス枠装飾ランプ５２は、一体扉ユニット４の左右縁部から受皿ユニット６の前面部にまで回り込むようにして延びている。一体扉ユニット４においてガラス枠トップランプ４６や左右のガラス枠装飾ランプ４８，５０，５２等は、ガラスユニットを取り巻くようにして配置されている。
【００４４】
上述した各種ランプ４６，４８，５０，５２は、例えば内蔵するＬＥＤの発光（点灯や点滅、輝度階調の変化、色調の変化等）により演出を実行する。また、一体扉ユニット４の上部において、左トップレンズユニット４７及び右上電飾ユニット４９にはそれぞれガラス枠上スピーカ５４，５５が組み込まれている。一方、外枠ユニット２の左下位置には外枠スピーカ５６が組み込まれている。これらスピーカ５４，５５，５６は、効果音やＢＧＭ、音声等（音響全般）を出力して演出を実行するものである。
【００４５】
また、受け皿ユニット６の中央には、上皿６ｂの手前位置に演出切替ボタン４５が設置されている。演出切替ボタン４５は、例えば押し込み式の円形状ボタンとその周囲に回転式のジョグリング（ジョグダイアル）を組み合わせた形態である。遊技者は、この演出切替ボタン４５を押し込み操作又は回転操作することで演出内容（例えばメイン液晶表示器４２に表示される背景画面）を切り替えたり、例えば図柄の変動中や大当りの確定表示中、あるいは大当り遊技中に何らかの演出（予告演出、確変昇格演出、大役中の昇格演出等）を発生させたりすることができる。
【００４６】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。
【００４７】
上記の払出装置ユニット１７２は、例えば賞球タンク１７２ａ及び賞球ケース（参照符号なし）を有しており、このうち賞球タンク１７２ａは内枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００４８】
また、上記の外部端子板１６０は、パチンコ機１を外部の電子機器（例えばデータ表示装置、ホールコンピュータ等）に接続するためのものであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるものとなっている。
【００４９】
電源コード１６４は、例えば遊技場の島設備に設置された電源装置（例えばＡＣ２４Ｖ）に接続されることで、パチンコ機１の動作に必要な電源（電力）を確保するものである。また、アース線１６６は、同じく島設備に設置されたアース端子に接続されることで、パチンコ機１のアース（接地）を確保するものである。
【００５０】
〔盤面の構成〕
図３は、遊技盤ユニット８を単独で示す正面図である。遊技盤ユニット８は、ベースとなる遊技板８ｂを備えており、この遊技板８ｂの前面側に遊技領域８ａが形成されている。遊技板８ｂは、例えば透明樹脂板で構成されており、遊技盤ユニット８が内枠アセンブリ７に固定された状態で、遊技板８ｂの前面はガラスユニットに平行となる。遊技板８ｂの前面には、略円形状に設置された発射レール（参照符号なし）の内側に上記の遊技領域８ａが形成されている。
【００５１】
遊技領域８ａ内には、その中央位置に比較的大型の演出ユニット４０が配置されており、この演出ユニット４０を中心として遊技領域８ａが左側部分、右側部分及び下部分に大きく分かれている。遊技領域８ａの左側部分は、通常遊技状態（低確率非時間短縮状態）で使用される第１遊技領域（左打ち領域）であり、遊技領域８ａの右側部分は、有利遊技状態（大当り遊技状態、小当り遊技状態、低確率時間短縮状態、高確率時間短縮状態等）で使用される第２遊技領域（右打ち領域、特定の領域）である。また、遊技領域８ａ内には、演出ユニット４０の下部周辺に始動ゲート２０、普通入賞口２２，２４、左始動入賞口２６，中・右始動入賞口２８ａ、可変始動入賞装置２８、可変入賞装置３０、振り分け装置入口２０２及び３方向振り分け装置２００等が分布して配置されている。
【００５２】
なお、始動ゲート２０は３方向振り分け装置２００内と可変始動入賞装置２８の上方の２箇所に配置されているが、以降の記述において単に始動ゲート２０と称する場合は、３方向振り分け装置２００内に設けられた始動ゲートを指すものとする。また、始動入賞口２８ａについても同様に、３方向振り分け装置２００内と可変始動入賞装置２８の内部の２箇所に設けられているが、以降の記述において中始動入賞口２８ａと称する場合は、３方向振り分け装置２００内に設けられた始動入賞口を、右始動入賞口２８ａと称する場合は可変始動入賞装置２８の内部に設けられた始動入賞口を、それぞれ指すものとする。
【００５３】
遊技領域８ａの下部分の中央位置には３方向振り分け装置２００が配置されており、この内部において、左始動入賞口２６、始動ゲート２０及び中始動入賞口２８ａが横一列に配列されている。３方向振り分け装置２００の上端部には振り分け装置入口２０２が形成されている。遊技領域８ａの右側部分に連なる下部分には、まず可変入賞装置３０が配置され、その中央寄りの下方には普通入賞口２４と第２の始動ゲート２０（可変始動入賞装置２８の上方の始動ゲート２０）とが隣接し、さらに第２の始動ゲート２０の下方には可変始動入賞装置２８が配置されている。遊技領域８ａの左側部分に連なる下部分には、普通入賞口２２が配置されている。３方向の振り分け機構は、特に図示していないが、例えば３つの穴の開いた回転体や、３つの方向に傾斜した面を有する回転体、３つのルートに振り分けることができる三つ又の構造物等を用いることにより遊技球を３方向に振り分けることができる。
【００５４】
遊技領域８ａ内に放り込まれた遊技球は、その流下の過程で無作為に始動ゲート２０を通過したり、３方向振り分け装置２００に入球したり、或は、普通入賞口２２，２４や、中始動入賞口２８ａ、左始動入賞口２６に入賞（入球）したりする。始動ゲート２０を通過した遊技球は引き続き遊技領域８ａ内を流下するが、入賞口に入賞した遊技球は遊技板８ｂに形成された貫通孔を通じて遊技盤ユニット８の裏側へ回収される。
【００５５】
また、遊技領域８ａ内に放り込まれた遊技球は、作動時の可変始動入賞装置２８、開放動作時の可変入賞装置３０（大入賞口）に入球したりする。ここで、遊技領域８ａの左側領域を流下する遊技球は、主に３方向振り分け装置２００に進入して左始動入賞口２６に入球するか、始動ゲート２０を通過するか、中始動入賞口２８ａに入球したりする。また、３方向振り分け装置２００に進入しない遊技球は普通入賞口２２に入球する可能性がある。一方、遊技領域８ａの右側領域を流下する遊技球は、主に第２の始動ゲート２０を通過するか、作動時の可変始動入賞装置２８（右始動入賞口２８ａ）に入球するか、開放動作時の可変入賞装置３０（大入賞口）に入球するか、普通入賞口２４に入球する可能性がある。
【００５６】
ここで、本実施形態では、遊技領域８ａ（盤面）の構成上、振り分け装置入口２０２や普通入賞口２２に遊技球を入球させる場合は、遊技領域８ａ内の左側部分の領域（左打ち領域）に遊技球を打ち込む（いわゆる「左打ち」を実行する）必要がある。
【００５７】
一方、第２の始動ゲート２０に遊技球を通過させる場合、又は、可変始動入賞装置２８や可変入賞装置３０、普通入賞口２４に遊技球を入球させる場合は、遊技領域８ａ内の右側部分の領域（右打ち領域）に遊技球を打ち込む（いわゆる「右打ち」を実行する）必要がある。
【００５８】
本実施形態において、上記の可変始動入賞装置２８は、所定の作動条件が満たされた場合（普通図柄が当りの態様で所定の停止表示時間にわたり停止表示された場合）に作動し、それに伴って右始動入賞口２８ａ（所定の入球口）への入球を可能にする（普通電動役物）。可変始動入賞装置２８には、一対をなす羽根型（いわゆる電チュータイプ）の開閉部材２８ｂが設けられている。図示の状態にて、一対の開閉部材２８ｂは、盤面に対して直立した位置（閉鎖位置）にあり、遊技球が右始動入賞口２８ａに入球することを不能（又は極めて困難）にしている。一方、一対の開閉部材２８ｂが盤面に沿って左右方向に開いた（いわゆる拡開した）位置（開放位置）に移動すると、一対の開閉部材２８ｂは上方から流下してくる遊技球を受け止め、右始動入賞口２８ａに遊技球を案内する。なお、可変始動入賞装置２８は、単一の開閉部材がその下端縁部分をヒンジとして前方へ倒れ込むように変位して、右始動入賞口２８ａを開放する装置であってもよいし、舌片型（ベロタイプ）の開閉部材が盤面に対して前後方向に往復動作（いわゆる突没）して右始動入賞口２８ａを開放する装置であってもよい。
【００５９】
また可変入賞装置３０は、既定の条件が満たされた場合（特別図柄が非当選以外の態様で停止表示された場合）に作動し、大入賞口への入球を可能にする（特別電動役物、特別入球事象発生手段）。可変入賞装置３０は、例えば１つの開閉部材３０ａを有しており、この開閉部材３０ａは、例えば図示しないソレノイドを用いたリンク機構の働きにより、盤面に対して前後方向に往復動作する。図示のように盤面に沿った状態で開閉部材３０ａは閉位置（閉止状態）にあり、このとき大入賞口への入賞は困難（大入賞口は閉塞中）である。可変入賞装置３０が作動すると、開閉部材３０ａがその下端縁部分をヒンジとして前方へ倒れ込むようにして変位し、大入賞口を開放する（開放状態）。この間に可変入賞装置３０は遊技球の流入が容易な状態となり、大入賞口への入賞という事象を発生させることができる。なお、このとき開閉部材３０ａは大入賞口への遊技球の流入を案内する部材としても機能する。また、可変入賞装置３０は、開閉部材が盤面の内部にスライドするタイプの装置（スライド式のアタッカ）であってもよい。
【００６０】
遊技盤ユニット８には、その中央位置から右側部分にかけて上記の演出ユニット４０が設置されている。演出ユニット４０は、その上縁部４０ａが遊技球の流下方向を変化させる案内部材として機能する他、その内側に各種の可動装飾体５００，８００等を備えている。これら可動装飾体５００，８００等はその立体的な造形により遊技盤ユニット８の装飾性を高めるとともに、例えば内蔵された発光器（ＬＥＤ等）により透過光を発することで、演出的な動作をすることができる。さらに可動装飾体５００，８００は、それぞれ固有の演出動作を行うことができる。また、演出ユニット４０の内側にはメイン液晶表示器４２（演出表示器）が設置されており、このメイン液晶表示器４２には特別図柄に対応させた演出図柄をはじめ、各種の演出画像が表示される。このように遊技盤ユニット８は、その盤面の構成（図示しないセル板のデザイン）や演出ユニット４０の装飾性に基づいて、遊技者にパチンコ機１の特徴を印象付けている。また、本実施形態のように遊技板８ｂが透明樹脂板（例えばアクリル板）である場合、前面側だけでなく遊技板８ｂの背後に配置された各種の装飾体（可動体や発光体を含む）による装飾性を付加することができる。
【００６１】
演出ユニット４０の内部には、演出用の可動装飾体５００，８００とともに駆動源（例えばモータ、ソレノイド等）や各種の動力伝達機構（歯車伝達機構、リンク機構等）が付属している。可動装飾体５００，８００は、メイン液晶表示器４２による画像を用いた演出や発光器による演出に加えて、有形物の動作を伴う演出を実行することができる。これら可動装飾体５００，８００を用いた演出により、二次元の画像を用いた演出とは別の訴求力を発揮することができる。また、メイン液晶表示器４２の下部にはサブ液晶可動役物ユニット７００（サブ液晶ユニット７３０）が配置されている。
【００６２】
また、演出ユニット４０の左側縁部には球案内通路４０ｄが形成されており、その下縁部には転動ステージ４００が形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４００上に放出される。転動ステージ４００の上面は滑らかな湾曲面を有しており、ここでは遊技球が左右方向に転動自在である。転動ステージ４００上で転動した遊技球は、やがて下方の遊技領域８ａ内に流下する。転動ステージ４００の中央位置には高確放出路４２０が、その両側には普通放出路４１０がそれぞれ形成されている。転動ステージ２００から高確放出路４２０に案内された遊技球は、その真下にある３方向振り分け装置２００への入口となる振り分け装置入口２０２に流入しやすくなる。
【００６３】
その他、遊技領域８ａ内にはアウト口３２が形成されており、各種入賞口に入球（入賞）しなかった遊技球は最終的にアウト口３２を通じて遊技盤ユニット８の裏側へ回収される。また、普通入賞口２２，２４や左始動入賞口２６、中始動入賞口２８ａ、右始動入賞口２８ａ、可変入賞装置３０に入球した遊技球も含めて、遊技領域８ａ内に打ち込まれた全ての遊技球は遊技盤ユニット８の裏側へ回収される。回収された遊技球は、図示しないアウト通路アセンブリを通じてパチンコ機１の裏側から枠外へ排出され、さらに図示しない島設備の補給経路に合流する。
【００６４】
図３に示されるように、可動装飾体５００，８００は、非作動時には格納位置に格納されてその外形の全容を視認することができない状態となる。これらは、メイン液晶表示器４２による画像の表示と同期して又は単独で演出を行う際にそれぞれの可動領域内で移動して視認可能な位置まで出現する。
【００６５】
また遊技盤ユニット８には、例えば窓４ａ内の右下位置に普通図柄表示装置３３と普通図柄作動記憶ランプ３３ａが設けられている他、第１特別図柄表示装置３４（第１図柄表示手段）、第２特別図柄表示装置３５（第２図柄表示手段）、第１特別図柄作動記憶ランプ３４ａ、第２特別図柄作動記憶ランプ３５ａ及び遊技状態表示装置３８が設けられている（普通図柄表示手段、特別図柄表示手段、抽選要素記憶手段）。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。
【００６６】
図４は、サブ液晶可動役物ユニット７００（サブ液晶ユニット７３０）が出現した状態における遊技盤ユニットの正面図である。サブ液晶可動役物ユニット７００は、その初期状態（非作動時の退避位置）では下側の一部がステージ４００の後方に隠れる位置にあり、演出に合わせて作動することにより上昇すると全体が視認しやすくなる。サブ液晶可動役物ユニット７００は、その液晶部分に演出画像を表示し或は発光し、その左右両端を支持するアーム部材の上下動に伴い上昇し、下降し、或は上昇しながら回転する等、多様に動作する。
【００６７】
サブ液晶可動役物ユニット７００は演出に用いられる可動体の１つであり、他の可動装飾体５００，８００と同様に専用の駆動源の動力伝達機構が用意されている。また、液晶を内蔵している性質上ある程度の厚みを有しており、上述のように回転動作も可能であることから、その可動領域は演出ユニット４０の上下方向のみならず奥行方向にも及んでいる。
【００６８】
図５は、遊技盤ユニット８の一部を拡大して示す正面図である。具体的には、第１特別図柄や第２特別図柄を含む遊技状態の表示が行われる遊技状態表示装置３８が取り付けられた箇所を拡大して示している。
【００６９】
先ず第１特別図柄表示装置３４及び第２特別図柄表示装置３５は、例えばそれぞれ７セグメントＬＥＤ（ドット付き）により特別図柄の変動状態と停止状態とを表示することができる（図柄表示手段）。また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。
【００７０】
第１特別図柄作動記憶ランプ３４ａは、上記の左始動入賞口２６に遊技球が流入するごとに、入賞が発生したことを記憶する意味で１個ずつ増加後の表示態様へと変化していき（最大４個まで）、その入賞を契機として特別図柄の変動が開始されるごとに１個ずつ減少後の表示態様へと変化していく。また第２特別図柄作動記憶ランプ３５ａは、上記の中始動入賞口２８ａ又は可変始動入賞装置２８（右始動入賞口２８ａ）に遊技球が流入するごとに、入賞が発生したことを記憶する意味で１個ずつ増加後の表示態様へと変化し（最大４個まで）、その入賞を契機として特別図柄の変動が開始されるごとに１個ずつ減少後の表示態様へと変化する。なお本実施形態では、第１特別図柄作動記憶ランプ３４ａが未点灯（記憶数が０個）の場合、第１特別図柄が既に変動開始可能な状態（停止表示時）で左始動入賞口２６に遊技球が流入しても表示態様は変化しない。また第２特別図柄作動記憶ランプ３５ａが未点灯（記憶数が０個）の場合、第２特別図柄が既に変動開始可能な状態（停止表示時）で中始動入賞口２８ａに遊技球が流入しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入賞の回数を表している。
【００７１】
また遊技状態表示装置３８には、例えば大当り種別表示ランプ３８ａ，３８ｂ，３８ｃ、確率変動状態表示ランプ３８ｄ、時短状態表示ランプ３８ｅ、発射位置指定ランプ３８ｆにそれぞれ対応するＬＥＤが含まれている。なお本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤ユニット８に取り付けられている。
【００７２】
〔賞球数及び獲得遊技球数について〕
第１特別図柄の始動口（左始動入賞口２６）の賞球数及び第２特別図柄の始動口（中・右始動入賞口）の賞球数は、それぞれ１個以上の規定数に設定されている。また、第１特別図柄の始動口と第２特別図柄の始動口とでは、賞球数を異ならせてもよい。さらに、特別図柄の当選確率や、総獲得遊技球数の期待値（初当りから時間短縮状態が終了するまでの一連の期間に得られる平均出球数）に基づいて、最低賞球数を設定してもよい。さらにまた、特別図柄の当選確率、総獲得遊技球数の期待値、大入賞口の開放回数、大入賞口の開放時間、大入賞口の最大入賞数、大入賞口の賞球数が所定の条件を満たした場合、１回の大当りによる獲得遊技球数が最大の獲得遊技球数の１／４未満となる大当りを設定してもよい。
【００７３】
〔サブ液晶可動役物ユニット７００〕
次に、サブ液晶可動役物ユニット７００に関する構成について説明する。図６はサブ液晶可動役物ユニット７００を示す斜視図であり、図７はサブ液晶可動役物ユニット７００を示す分解斜視図であり、図８はサブ液晶ユニット７３０を示す分解斜視図である。
【００７４】
図示のように、サブ液晶可動役物ユニット７００は、アームユニット７１０、ホルダーユニット７２０（可動体）、サブ液晶ユニット７３０（表示器ユニット、可動体）から構成されている。アームユニット７１０を上下させることで、演出ユニット４０の手前において、サブ液晶可動役物ユニット７００をステージ４００の後方に隠れる位置から可動装飾体８００の位置まで上下動作させることができる。サブ液晶ユニット７３０は、少なくとも所定の抽選の結果（演出図柄等）を表示するメイン液晶表示器４２とは別のサブ表示器を含んでいる。
【００７５】
また、アームユニット７１０は、モータ７１２、アーム部７１４内のリンク部（ギア列）、回転ギア７１６などを備え、モータ７１２を駆動させることで、リンク部を通して回転ギア７１６を回転させ、その回転ギア７１６の回転により前後の軸を中心にホルダーユニット７２０を回転させることができる。すなわち、アームユニット７１０内のモータ７１２を駆動させることで、ホルダーユニット７２０に内包する形態で保持されるサブ液晶ユニット７３０を前後の軸（Ｚ方向に延びる軸、遊技盤ユニットの奥行方向に延びる軸）を中心に回転動作させることができる。
【００７６】
サブ液晶ユニット７３０は、サブ液晶前カバー７４０、サブ液晶部７５０、サブ液晶可動ユニット７６０（回転機構）、サブ液晶可動制限ユニット７７０（回転制限機構）、サブ液晶後カバー７８０から構成されている。サブ液晶部７５０、サブ液晶可動ユニット７６０及びサブ液晶可動制限ユニット７７０は、サブ液晶前カバー７４０とサブ液晶後カバー７８０に内包する形態で備えられる。画像や映像などを演出を表示する液晶パネル７５２（表示パネル）は、サブ液晶部７５０に備えられ、サブ液晶部７５０の前面には液晶パネル７５２を保護しつつ、液晶パネル７５２の演出を視認可能な透明な材質から構成されるサブ液晶前カバー７４０が取り付けられている。
【００７７】
サブ液晶部７５０の背面には、左側にサブ液晶可動ユニット７６０が備えられている。サブ液晶可動ユニット７６０は駆動源と複数種類のギアから構成され、この駆動源を駆動させることで左右方向の回転軸（Ｘ方向に延びる軸、遊技盤ユニットの左右方向（水平方向）に延びる軸）を中心に回転することができる。具体的には、ホルダーユニット７２０にインサートピン７６１が固定した状態で接続され、そのインサートピン７６１に固定ギア７６２が固定した状態で接続されることで、そのインサートピン７６１を回転軸としてサブ液晶可動ユニット７６０が回転動作する。すなわち、サブ液晶可動ユニット７６０の駆動源を駆動することで、ホルダーユニット７２０に内包する形態で保持されるサブ液晶ユニット７３０が左右方向の回転軸を中心に回転することとなる。
【００７８】
また、サブ液晶部７５０の背面の右側にサブ液晶可動制限ユニット７７０が備えられている。サブ液晶可動制限ユニット７７０は、複数のギアと軸受け部材（固定ギア）などから構成され、サブ液晶可動ユニット７６０の回転に連動して軸受け部材を介して複数のギアが回転する。そして、そのギアの回転が可動限界位置まで到達するとサブ液晶可動制限ユニット７７０のストッパ機能が働き、サブ液晶ユニット７３０の回転を制限することができる。
【００７９】
図９及び図１０は、サブ液晶可動役物ユニット７００を斜め後方から見た斜視図である。なお、図９は、アームユニット７１０及びホルダーユニット７２０に保持されているサブ液晶ユニット７３０が原点位置（０度）の位置にある状態を示しており、図１０はアームユニット７１０及びホルダーユニット７２０に保持されているサブ液晶ユニット７３０が回転軸７３０ｚを中心に原点位置から９０度回転した位置にある状態を示している。ここで、アームユニット７１０の後方側のカバーは、内部のギアの視認性を向上させるために、図示を省略している。
【００８０】
アームユニット７１０には、サブ液晶ユニット７３０を回転させるための駆動源となるモータ７１２と、モータ７１２の回転に伴って回転するモータギア７１３と、モータギア７１３に連結されたリンク部７１５と、サブ液晶ユニット７３０に固定され、かつ、リンク部７１５に連結された回転ギア７１６などが配置されている。なお、リンク部７１５は、複数のギアからなるギア列であり、図中ではすべてのギアに番号を付していない。
【００８１】
モータギア７１３、リンク部７１５及び回転ギア７１６は、モータ７１２の動力を可動体としてのサブ液晶ユニット７３０に伝達するギアである。
【００８２】
そして、モータ７１２を駆動させると、リンク部７１５を通して回転ギア７１６が回転し、その回転ギア７１６の回転により回転軸７３０ｚを中心にホルダーユニット７２０を回転させることができる。すなわち、アームユニット７１０内のモータ７１２を駆動させることで、ホルダーユニット７２０に保持されているサブ液晶ユニット７３０を回転軸７３０ｚを中心に回転させることができる。
【００８３】
また、回転ギア７１６の側方には、回転ギア７１６の側面に接触するストッパ９００が配置されている。
ストッパ９００は、アームユニット７１０の内部に配置されたアーム９０２を介して図示しないソレノイドに連結されている。そして、ストッパ９００は、図示しないソレノイドを駆動源として回転ギア７１６に接触する位置と回転ギア７１６に接触しない位置とに移動可能である。例えばソレノイドがＯＮになると、ストッパ９００は、回転ギア７１６に接触する位置（可動位置）に移動し、ソレノイドがＯＦＦになると、ストッパ９００は、回転ギア７１６に接触しない位置（退避位置）に移動する。また、ストッパ９００は、回転ギア７１６の中心に向かわない方向で回転ギア７１６と接触することにより回転ギア７１６の回転を制限する。
【００８４】
また、ホルダーユニット７２０の背面には、回転軸７３０ｚを囲む位置にホルダーユニット７２０（サブ液晶ユニット７３０）の回転に伴って回転する第１回転部材７２２が設けられている。第１回転部材７２２は、断面がＤの字型の形状であり、第１回転部材７２２の周囲には、後述するフレキシブルフラットケーブルの一部が巻きつけられる。また、フレキシブルフラットケーブルの一部と第１回転部材７２２の一部とは接着剤や止め具等で固定されている。
【００８５】
図１１は、フレキシブルフラットケーブル６００及びその周辺の部材を斜め前方から見た斜視図であり、図１２は、フレキシブルフラットケーブル６００及びその周辺の部材を斜め後方から見た斜視図である。ここで、アームユニット７１０の後方側のカバーは、内部の部品の視認性を向上させるために、図示を省略している。
【００８６】
フレキシブルフラットケーブル６００は、サブ液晶ユニット７３０（図６参照）に接続される配線部材である。フレキシブルフラットケーブル６００は、例えばサブ液晶可動ユニット７６０の駆動源となるモータへの駆動信号、サブ液晶部７５０に対する映像信号、サブ液晶ユニット７３０の内部に配置された図示しないＬＥＤに対する点灯信号等を送信する役割と、サブ液晶可動ユニット７６０の駆動源となるモータに給電する役割とを果たす。
【００８７】
また、フレキシブルフラットケーブル６００は、サブ液晶ユニット７３０が前後方向の回転軸７３０ｚ（第１回転軸）に基づく原点位置（第１初期位置）にある状態では一定の緩ませた状態（初期状態、第１初期状態）で回転軸７３０ｚの回りに巻きつけられ、サブ液晶ユニット７３０が原点位置から３６０度回転した可動限界位置（第１可動限界位置）にある状態では一定の緩ませた状態よりも締められた状態（逆状態、第１逆状態）で回転軸７３０ｚの回りに巻きつけられる。
【００８８】
さらに、フレキシブルフラットケーブル６００は、サブ液晶ユニット７３０が回転軸７３０ｘ（第２回転軸）に基づく原点位置（第２初期位置）にある状態では規定の緩ませた状態（初期状態、第２初期状態）で回転軸７３０ｘの回りに巻きつけられ、サブ液晶ユニット７３０が原点位置から７２０度回転した可動限界位置（第２可動限界位置）にある状態では規定の緩ませた状態よりも締められた状態（逆状態、第２逆状態）で回転軸７３０ｘの回りに巻きつけられる。なお、回転軸７３０ｘは、回転軸７３０ｚと略直交する軸である。
【００８９】
フレキシブルフラットケーブル６００（配線部材）は、回転軸７３０ｚ（第１回転軸）における回転動作が行われても回転軸７３０ｘ（第２回転軸）に影響を与えないように、また、回転軸７３０ｘ（第２回転軸）における回転動作が行われても回転軸７３０ｚ（第１回転軸）に影響を与えないように巻きつけられている。
【００９０】
ここで、フレキシブルフラットケーブル６００は、第１非巻付部６０１ａ、第１巻付部６０１ｂ、第２非巻付部６０２ａ、第２巻付部６０２ｂ及び第３非巻付部６０３ａを有する１本の部材である。なお、これらの非巻付部と巻付部との境界は、折り曲げやひねり等の接続部を介して繋がっている。この接続部は、回転動作に連動して移動しないように、所定位置に固定されている。
【００９１】
例えば、非巻付部６０１ａ，６０２ａ，６０３ａは、第１巻付部６０１ｂによる巻きつけ動作、又は、第２巻付部６０２ｂによる巻きつけ動作が行われても配置されている位置を維持するように周辺の部材に固定されている。
【００９２】
第１非巻付部６０１ａは、図１２に示すように、アームユニット７１０の内部の右側（図中では左側）に直線状に延びて配置されている。また、第１非巻付部６０１ａは、一端が図示しない回路基板に接続され、他端が第１巻付部６０１ｂに繋がっている。図示しない回路基板は、図示しない制御装置（主制御装置、演出制御装置等）に中継基板等を介して電気的に接続されている。
【００９３】
第１巻付部６０１ｂは、回転軸７３０ｚの回りに巻きつけられ、一端が第１非巻付部６０１ａに繋がっており、他端が第２非巻付部６０２ａに繋がっている。第１巻付部６０１ｂは、サブ液晶ユニット７３０が回転軸７３０ｚの回りを余裕を持って１回転することができる長さを有する。具体的には、第１巻付部６０１ｂは、回転軸７３０ｚの回りに、緩ませた状態で２周半程度巻きつけられている。
【００９４】
ここで、アームユニット７１０の中央に配置されたベース部材７１１ａには、その中央に円形の開口部７１１ｂが形成されており、その開口部７１１ｂの内側に図示しない回転ギアが配置される。そして、第１巻付部６０１ｂは、開口部７１１ｂの内側に配置された図示しない回転ギアのさらに内側に配置されている。
【００９５】
第２非巻付部６０２ａは、図１１に示すように、アームユニット７１０の表面の右側に直線状に延びて配置されている。また、第２非巻付部６０２ａは、右方向に延びた先で折れ曲がって前方向に延び、前方向に延びた先で折れ曲がって左方向に延びており、一端が第１巻付部６０１ｂに繋がっており、他端が第２巻付部６０２ｂに繋がっている。
【００９６】
第２巻付部６０２ｂは、回転軸７３０ｘの回りに巻きつけられ、一端が第２非巻付部６０２ａに繋がっており、他端が第３非巻付部６０３ａに繋がっている。第２巻付部６０２ｂは、サブ液晶ユニット７３０が回転軸７３０ｘの回りを余裕を持って２回転することができる長さを有する。具体的には、第２巻付部６０２ｂは、回転軸７３０ｘの回りに、緩ませた状態で５周半程度巻きつけられている。第２巻付部６０２ｂは、サブ液晶ユニット７３０の内部の右側に配置される。
【００９７】
第３非巻付部６０３ａは、サブ液晶ユニット７３０の内部に配置されており、上方向に延びた先で折れ曲がって左方向に延びており、一端が第２巻付部６０２ｂに繋がっており、他端が図示しないサブ液晶ユニットの回路基板に接続されている。なお、サブ液晶ユニットの回路基板と、サブ液晶可動ユニットの駆動源となるモータ７６３（図１３参照）は、フレキシブルフラットケーブル６００とは別の配線で接続されており、モータ７６３に対する制御信号等は、フレキシブルフラットケーブル６００及び別の配線を経由して制御装置からモータに送信される。
【００９８】
図１３及び図１４は、サブ液晶可動ユニット７６０の詳細を示す図である。なお、図１３は、サブ液晶可動ユニット７６０を上面から見た拡大図であり、図１４は、サブ液晶可動ユニット７６０を側面から見た拡大図である。
【００９９】
サブ液晶可動ユニット７６０は、モータ７６３と、モータ７６３の回転軸７６４に取り付けられたモータギア７６５と、図示しないホルダーユニットに固定された固定ギア７６６とを備える。
【０１００】
モータ７６３が回転すると、回転軸７６４の回転に伴ってモータギア７６５が回転するが、固定ギア７６６は図示しないホルダーユニットに固定されているため、サブ液晶可動ユニット７６０が内蔵されているサブ液晶ユニット７３０がホルダーユニットに対して回転することになる。
【０１０１】
図１５及び図１６は、サブ液晶可動制限ユニット７７０の詳細を示す図である。なお、図１５は、サブ液晶可動制限ユニット７７０を上面から見た拡大図であり、図１６は、サブ液晶可動制限ユニット７７０を側面から見た拡大図である。
【０１０２】
サブ液晶可動制限ユニット７７０は、図示しないホルダーユニットに固定された固定ギア７７０ａと、固定ギア７７０ａに連結された第１回転ギア７７１と、第１回転ギア７７１とともに回転する第２回転ギア７７２と、第２回転ギア７７２に連結された第３回転ギア７７３と、第３回転ギア７７３とともに回転する第４回転ギア７７４と、第４回転ギア７７４に連結された第５回転ギア７７５とを備える。
【０１０３】
また、第５回転ギア７７５には、図１５に示す扇形形状の突起７７６が配置されており、この突起７７６は、サブ液晶後カバー７８０に配置されたストッパ７８２と接触する。
【０１０４】
サブ液晶可動ユニット７６０の作動によりサブ液晶ユニット７３０が回転すると、固定ギア７７０ａはホルダーユニットに固定されているため、第１回転ギア７７１〜第５回転ギア７７５が回転を開始する。そして、第５回転ギア７７５の回転に伴って突起７７６も回転する。
【０１０５】
ここで、サブ液晶ユニット７３０が原点位置にある状態では、突起７７６の第１当接部７７６ａとストッパ７８２の第１当接部７８２ａとが接触することにより、サブ液晶ユニット７３０が原点位置で停止する。一方、可動限界位置（原点位置から２回転した位置）では、突起７７６の第２当接部７７６ｂとストッパ７８２の第２当接部７８２ｂとが接触することにより、サブ液晶ユニット７３０が可動限界位置で停止する。
【０１０６】
ここで、固定ギア７７０ａは、円柱形状の第２回転部材７７７に固定されており、第２回転部材７７７の両側の端部には、第２回転部材７７７の直径よりも長い直径を有する２つの円盤部材７７８が配置されている。第２回転部材７７７は、回転軸７３０ｘを囲む位置に配置され、ホルダーユニット７２０（サブ液晶ユニット７３０）の回転に伴って回転する。そして、２つの円盤部材７７８の間の第２回転部材７７７の周囲には、フレキシブルフラットケーブルの第２巻付部６０２ｂ（図１０及び図１１参照）が巻きつけられる。
また、フレキシブルフラットケーブルの第２巻付部６０２ｂの一部と第２回転部材７７７の一部とは接着剤や止め具等で固定されている。
【０１０７】
図１７は、サブ液晶ユニット７３０が回転軸７３０ｘを中心として回転する動作例を説明する図である。
図１７中（Ａ）に示すように、原点位置、すなわち、０度の位置では、サブ液晶ユニット７３０は正面を向く。
【０１０８】
図１７中（Ｂ）に示すように、原点位置から１８０度回転した状態では、サブ液晶ユニット７３０は後方を向く。
【０１０９】
図１７中（Ｃ）に示すように、原点位置から３６０度回転した状態では、サブ液晶ユニット７３０は正面を向く。
【０１１０】
図１７中（Ｄ）に示すように、原点位置から５４０度回転した状態では、サブ液晶ユニット７３０は後方を向く。
【０１１１】
図１７中（Ｅ）に示すように、原点位置から７２０度回転した状態では、すなわち、可動限界位置にある状態では、サブ液晶ユニット７３０は正面を向く。
【０１１２】
図１８は、サブ液晶ユニット７３０が回転軸７３０ｚを中心として回転する動作例を説明する図である。
図１８中（Ａ）に示すように、原点位置、すなわち、０度の位置では、サブ液晶ユニット７３０は、長手方向が、サブ液晶ユニット７３０が原点位置にある状態での回転軸７３０ｘに沿う状態（横になった状態）となる。
【０１１３】
図１８中（Ｂ）に示すように、原点位置から９０度回転した状態では、サブ液晶ユニット７３０は、長手方向が、サブ液晶ユニット７３０が原点位置にある状態での回転軸７３０ｘと直交する状態（立ち上がった状態）となる。
【０１１４】
図１８中（Ｃ）に示すように、原点位置から１８０度回転した状態では、サブ液晶ユニット７３０は、長手方向が、サブ液晶ユニット７３０が原点位置にある状態での回転軸７３０ｘに沿う状態となる。ただし、原点位置の状態とは上下が逆になっている。
【０１１５】
図１８中（Ｄ）に示すように、原点位置から２７０度回転した状態では、サブ液晶ユニット７３０は、長手方向が、サブ液晶ユニット７３０が原点位置にある状態での回転軸７３０ｘと直交する状態となる。ただし、９０度の状態とは上下及び左右が逆になっている。
【０１１６】
図１８中（Ｅ）に示すように、原点位置から３６０度回転した状態では、すなわち、可動限界位置にある状態では、サブ液晶ユニット７３０は、原点位置と同様に長手方向が、サブ液晶ユニット７３０が原点位置にある状態での回転軸７３０ｘに沿う状態となる。
【０１１７】
図１９は、フレキシブルフラットケーブル６００の第１巻付部６０１ｂが一定の緩ませた状態から締められた状態に移行する様子を概念的に示す図である。
【０１１８】
図１９中（Ａ）に示すように、第１巻付部６０１ｂは、初期の状態では一定の緩ませた状態となっている。そして、ホルダーユニット７２０（サブ液晶ユニット７３０）の回転に伴って第１回転部材７２２が回転すると、第１巻付部６０１ｂの一部は、第１回転部材７２２の一部と接着剤等で接着されていることから、第１巻付部６０１ｂは第１回転部材７２２の回りに巻きつけられることになる。
【０１１９】
図１９中（Ｂ）に示すように、回転ギア７１６が反時計回りに１８０度回転すると、ホルダーユニット（サブ液晶ユニット）が回転し、それに伴って第１回転部材７２２も回転する。そして、第１回転部材７２２が回転すると、第１巻付部６０１ｂの一部は、第１回転部材７２２の一部と接着剤等で接着されていることから、第１巻付部６０１ｂは第１回転部材７２２の回りに巻きつけられる（締め付けられる）ことになる。図示の状態では、第１巻付部６０１ｂは半分程度締められた状態となる。
【０１２０】
図１９中（Ｃ）に示すように、さらに回転ギア７１６が反時計回りに１８０度回転すると、すなわち、回転ギア７１６が原点位置から３６０度回転すると、第１巻付部６０１ｂは完全に締められた状態となる。
【０１２１】
そして、回転ギア７１６がこれとは逆に時計回りに回転すると、第１巻付部６０１ｂは締められた状態から緩められた状態に移行する。なお、フレキシブルフラットケーブル６００の第２巻付部６０２ｂが規定の緩ませた状態から締められた状態に移行する様子は、回転軸や駆動源となるモータ、固定部材の相違はあるものの、基本的な動作原理は第１巻付部６０１ｂと同様であるため、説明を省略する。
【０１２２】
以上説明したように、本実施形態によれば、以下のような効果がある。
（１）本実施形態では、フレキシブルフラットケーブル６００を回転軸７３０ｘ及び回転軸７３０ｚの回りに巻きつけ、その巻きつけを緩ませたり締めたりすることにより、フレキシブルフラットケーブル６００の長さを吸収している。このため、サブ液晶ユニット７３０に接続されるフレキシブルフラットケーブル６００をコンパクトに収納することができるだけでなく、サブ液晶ユニット７３０自体をより大きくするなど空いたスペースの有効活用が可能となり、コンパクトな収納形態により製造コストも抑えることができる。
【０１２３】
（２）本実施形態では、フレキシブルフラットケーブル６００は、回転軸７３０ｘ及び回転軸７３０ｚの回りに巻きつけているため、フレキシブルフラットケーブル６００を単純にたるませて収納している状況と比較して、折り目がつき難く、断線のリスクを低減させることができる。
【０１２４】
（３）本実施形態によれば、サブ液晶ユニット７３０が回転することで第１回転部材７２２や第２回転部材７７７が回転し、第１回転部材７２２や第２回転部材７７７が回転することでフレキシブルフラットケーブル６００が自動的に緩ませた状態から締められた状態に移行したり、締められた状態から緩ませた状態に移行する。このため、フレキシブルフラットケーブル６００を緩ませた状態と締められた状態との間で遷移させる特別な機構は不要となり、サブ液晶ユニット７３０の回転に伴ってフレキシブルフラットケーブル６００を効率よく緩ませた状態と締められた状態との間を遷移させることができる。
【０１２５】
（４）本実施形態では、フレキシブルフラットケーブル６００を回転軸７３０ｘ及び回転軸７３０ｚの回りに巻きつけているため、サブ液晶ユニット７３０が複数の回転軸の回りを回転する場合であっても、サブ液晶ユニット７３０に接続するフレキシブルフラットケーブル６００をコンパクトに収納することができる。
【０１２６】
（５）本実施形態によれば、フレキシブルフラットケーブル６００は、第１非巻付部６０１ａ、第１巻付部６０１ｂ、第２非巻付部６０２ａ、第２巻付部６０２ｂ及び第３非巻付部６０３ａを有する１本の部材によって構成されているため、複数の回転方向を中継する際に余分な中継基板を配置する必要がなくなり、省スペースでフレキシブルフラットケーブル６００を配置することができる。
【０１２７】
（６）本実施形態では、フレキシブルフラットケーブル６００は、１本の部材により構成されているため、フレキシブルフラットケーブル６００の接続不良のリスクを低減させることができる。
【０１２８】
（７）本実施形態によれば、サブ液晶ユニット７３０は、少なくとも所定の抽選の結果を表示するメイン液晶表示器４２とは別のサブ液晶部７５０を含んでいるため、フレキシブルフラットケーブル６００の設置スペースをコンパクトにしながらも、サブ液晶部７５０を効率よく回転させることができる。
【０１２９】
（８）本実施形態によれば、サブ液晶ユニット７３０は、メイン液晶表示器４２の前面側に出没する可動役物であるため、可動役物（サブ液晶部７５０）までの配線経路がアームユニット７１０の内部に限られた場合であっても、配線経路を大型化することなくコンパクトにすることができ、可動役物や配線経路に関する見栄えをよくすることができる。
【０１３０】
（９）本実施形態によれば、非巻付部６０１ａ，６０２ａ，６０３ａは、第１巻付部６０１ｂによる巻きつけ動作、又は、第２巻付部６０２ｂによる巻きつけ動作が行われても配置されている位置が変わらないように周辺の部材に固定されているため、第１巻付部６０１ｂ及び第２巻付部６０２ｂのそれぞれの独立性を担保することができる。これにより、第１巻付部６０１ｂによる巻きつけ動作が行われても、第２巻付部６０２ｂに影響を与えることがなく、第２巻付部６０２ｂによる巻きつけ動作が行われても、第１巻付部６０１ｂに影響を与えることがなくなる。したがって、第１巻付部６０１ｂによる巻きつけ動作及び第２巻付部６０２ｂによる巻きつけ動作を、互いに影響を与えることなく独立して円滑に実行することができる。
【０１３１】
本発明は上述した一実施形態に制約されることなく、種々に変形して実施することができる。一実施形態で挙げた演出の態様は例示であり、上述した演出の態様に限定されるものではない。また、パチンコ機１の構造や盤面構成、具体的な数値等は図示のものも含めて好ましい例示であり、これらを適宜に変形可能であることはいうまでもない。
【０１３２】
上述した実施形態では、サブ液晶ユニット７３０は、回転軸７３０ｘ及び回転軸７３０ｚの２つの回転軸の回りを回転する例で説明したが、サブ液晶ユニット７３０は、いずれか１つの回転軸の回りだけを回転するユニットであってもよく、３つの回転軸（例えば、Ｘ軸、Ｙ軸、Ｚ軸）の回りを回転するユニットであってもよい。
この場合、フレキシブルフラットケーブル６００は、サブ液晶ユニット７３０が回転する任意の回転軸に巻きつけることができる。例えば回転軸が１つだけであれば対象となる回転軸だけにフレキシブルフラットケーブル６００を巻きつけ、回転軸が３つであれば対象となる３つの回転軸にそれぞれフレキシブルフラットケーブル６００を巻きつけることができる。
【０１３３】
上述した実施形態では、配線部材はフレキシブルフラットケーブル６００の例で説明したが、その他の配線部材（例えば単なる導線やケーブル、ハーネス等）であってもよい。
【０１３４】
上述した実施形態では、フレキシブルフラットケーブル６００（配線部材）は、初期位置で緩ませた状態（初期状態）とし、可動限界位置で締められた状態（逆状態）とする例で説明したが、これとは逆に、初期位置で締められた状態（初期状態）とし、可動限界位置で緩ませた状態（逆状態）としてもよい。
【０１３５】
上述した実施形態では、可動体は、サブ液晶ユニット７３０等の例で説明したが、可動体としてその他の表示器（メイン液晶表示器、ドット表示器、７セグ表示器等）を用いてもよく、画像を表示しない構造物や役物等を可動体としてもよい。
【符号の説明】
【０１３６】
１    パチンコ機
８    遊技盤ユニット
８ａ  遊技領域
２０    始動ゲート
２８    可変始動入賞装置
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    メイン液晶表示器
４５    演出切替ボタン
７００  サブ液晶可動役物ユニット
７３０  サブ液晶ユニット
【図２】
2016202210.tif 000003
【図５】
2016202210.tif 000004
【図１９】
2016202210.tif 000005
【図１】
2016202210.tif 000006
【図３】
2016202210.tif 000007
【図４】
2016202210.tif 000008
【図６】
2016202210.tif 000009
【図７】
2016202210.tif 000010
【図８】
2016202210.tif 000011
【図９】
2016202210.tif 000012
【図１０】
2016202210.tif 000013
【図１１】
2016202210.tif 000014
【図１２】
2016202210.tif 000015
【図１３】
2016202210.tif 000016
【図１４】
2016202210.tif 000017
【図１５】
2016202210.tif 000018
【図１６】
2016202210.tif 000019
【図１７】
2016202210.tif 000020
【図１８】
2016202210.tif 000021